(57)【要約】【課題】  電気掃除機の集塵部内部に設けられたサイクロン部の取付けを容易にする。【解決手段】  塵埃を吸引する吸引力を発生する電動送風機と、吸引した塵埃を内部に蓄積する集塵部を搭載する本体を有する電気掃除機において、集塵部には、塵埃を取り込む通気路が形成し、集塵部の内部に吸引した塵埃が混ざった吸引風から塵埃を遠心分離する為の旋回風を発生させるサイクロン部が着脱自在に係合されて設けられ、集塵部とサイクロン部には、互いに係合を位置決めするための位置決め部が設けられている。【選択図】図１４
2011041651.tif 000002
【特許請求の範囲】
【請求項１】
塵埃を吸引する吸引力を発生する電動送風機と、吸引した塵埃を内部に蓄積する集塵部を搭載する本体を有し、
前記集塵部には、塵埃を取り込む通気路が形成され、該集塵部の内部に吸引した塵埃が混ざった吸引風から塵埃を遠心分離する為の旋回風を発生させるサイクロン部が、着脱自在に係合されて設けられており、
前記集塵部と前記サイクロン部には、前記集塵部に対する前記サイクロン部の位置決めを行う位置決め部が設けられたことを特徴とする電気掃除機。
【請求項２】
前記位置決め部は、前記集塵部に設けられた凸部と前記サイクロン部に形成された切り欠き部からなることを特徴とする請求項１に記載の電気掃除機。
【請求項３】
前記凸部の形状は、三角形状で構成されており、前記切り欠き部の形状は、該凸部の外形状と略一致する形状であることを特徴とする請求項２に記載の電気掃除機。
【請求項４】
前記切り欠き部は、前記サイクロン部の板状の部位に形成され、前記切り欠き部が形成されている板状の部位の厚さが、前記凸部の高さと略一致することを特徴とする請求項２又は３のいずれかに記載の電気掃除機。
【発明の詳細な説明】
【技術分野】
【０００１】
本発明は、吸気を旋回して塵埃を遠心分離するサイクロン部が形成された集塵部を有する電気掃除機に関する。
【背景技術】
【０００２】
従来から、掃除機本体に形成された集塵室に、着脱自在に取り付ける集塵部の内部にサイクロン部（遠心分離部）を設け、吸気した塵埃を含む空気を旋回させ、空気と塵埃に遠心分離する電気掃除機がある。
このような電気掃除機に用いる集塵部において、集塵部（集塵ケース）に凸部または凹部を設け、この凸部又は凹部に係合する凹部又は凸部をサイクロン部に設けることで、集塵部（集塵ケース）からサイクロン部（遠心分離部）を着脱自在に構成した電気掃除機がある（例えば、引用文献１参照）。
【先行技術文献】
【特許文献】
【０００３】
【特許文献１】特開２００４−３５８０３３号公報（図５）
【発明の概要】
【発明が解決しようとする課題】
【０００４】
しかしながら、特許文献１に開示されている構成は、集塵部（集塵ケース）の後部開口からサイクロン部を取付ける為、サイクロン部に形成された凹部と集塵部に形成される凸部は、サイクロン部の取付け方向に対して、重なるように配置されている。
従って、作業者がサイクロン部を集塵部に取付ける際に、係合位置となる凹部と凸部が、サイクロン部によって視認しにくい構成となっている。
【０００５】
このように、集塵部へのサイクロン部の係合位置が認識しにくい構成では、サイクロン部の取り付け不良が起きやすく、この場合、サイクロン部に本来の塵埃と空気との遠心分離機能を発揮できなくなる問題がある。
【０００６】
そこで本発明は、上記の問題を解決するためになされたもので、集塵部に対してサイクロン部を正しく容易に取付け可能な電気掃除機を提供することを目的とする。
【課題を解決するための手段】
【０００７】
上記の課題を解決する為には、電気掃除機において、塵埃を吸引する吸引力を発生する電動送風機と、吸引した塵埃を内部に蓄積する集塵部を搭載する本体を有し、集塵部には、塵埃を取り込む通気路が形成され、該集塵部の内部に吸引した塵埃が混ざった吸引風から塵埃を遠心分離する為の旋回風を発生させるサイクロン部が、着脱自在に係合されて設けられており、集塵部とサイクロン部には、集塵部に対するサイクロン部の位置決めを行う位置決め部を設ける。
【発明の効果】
【０００８】
以上のように各部を構成すれば、集塵部からサイクロン部を取付ける際、前記サイクロン部の向きも容易に判断できるので、取付けが容易にできる。
【図面の簡単な説明】
【０００９】
【図１】電気掃除機の全体図を示す斜視図
【図２】本体の全体を示す上面図
【図３】図２のＡ−Ａ断面図
【図４】集塵部の斜視図
【図５】集塵部の上方から見た平面図
【図６】図５のＢ−Ｂ断面図
【図７】集塵部の後開口を開放した状態の斜視図
【図８】サイクロン部の斜視図（前）
【図９】サイクロン部の斜視図（後）
【図１０】集塵部からサイクロン部が外れた状態
【図１１】集塵部とサイクロン部の係合状態を示す断面図
【図１２】図１０の要部拡大図
【図１３】集塵部の後開口を開放した状態で後方より見た平面図
【図１４】位置決め部を有する集塵部の後開口を開放した状態で後方より見た平面図
【図１５】図１４のサイクロン部の正面図
【図１６】図１５のサイクロン部の斜視図（要部拡大）
【図１７】図１４のサイクロン部が外された状態の集塵部の斜視図
【図１８】図１４の要拡大図
【発明を実施するための形態】
【００１０】
以下、図面を参照して、本発明の実施の形態について説明する。
図１を参照すると、電気掃除機Ｃは、本体１０と把持部を有するホース３０と延長パイプ４０と床用吸引具５０から構成されている。
本体１０の前部には、塵埃を本体１０に案内する蛇腹状のホース３０がホース差込口に接続されている。このホース３０には、塵埃を延長パイプ４０と結合部で結合接続されている
【００１１】
そして、延長パイプ４０の先端に形成された接続部には、被清掃面から直接塵埃を吸引する床ブラシ等を有する床用吸引具５０が着脱自在に取り付けられる。
また、本体１０の後部には、内部に搭載する電動送風機の排気を外部に排出する排気口６０が開口している。
【００１２】
次に、図２〜図３を参照して、本体１０について説明する。
本体１０の外郭は、合成樹脂により形成される下ケース１１と上ケース１２と蓋体１３から成り、本体下ケース１１の内部に各部が組み込まれた状態で、本体上ケース１２と蓋体１３が本体下ケース１１を覆っている。
【００１３】
本体下ケース１１の前側上部には、後述する蓋体１３を係止し、蓋体の開放を抑制する蓋体係止部１１ｋが設けられている。
また、本体下ケース１１には、内部を前後に仕切ることにより、前側に吸引した塵埃を集塵する集塵部２０を装着する集塵室１４が形成され、後ろ側に吸引力を発生させる為の電動送風機や制御部等を搭載する電動送風機室１５が形成される。
【００１４】
集塵室１４は、前後左右を下ケース１１に形成された壁で囲まれ、上部には後述する集塵部２０を出し入れする上開口部１８が開口している。
そして、集塵室１４の前側の壁面には塵埃を取り込む為の取り込み口となる前開口部１６が形成され、後ろ側の集塵室１４と電動送風機室１５を隔てる内壁１７には、集塵室１４で塵埃が取り除かれた空気が電動送風機室１５へと流れる風路となる円形の後開口部１７ｒが形成されている。
【００１５】
この集塵室１４には、吸引した空気と塵埃を分離し、塵埃を貯める為の容器として、サイクロン部が形成された集塵部２０が取付けられる。また、集塵室１４に対して集塵部２０を着脱するための上開口部１８は、上方を蓋体１３により開閉自在に覆われている。
【００１６】
この蓋体１３には、蓋体が１３を閉鎖した状態において、集塵室１４の前側と上下に重なる部分に、突起部１３ａが下方向に延在して設けられている。
また、蓋体１３の突起部１３ａの前側の位置には、蓋体１３が上開口部１８を閉鎖した際、本体ケース１１の蓋体係止部１１ｋに係止されることで、蓋体の開放を抑制する係止部１３ｂが形成されている。
【００１７】
次に、図４〜図６を参照して、集塵部２０について説明する。
集塵部２０は、後部が開口する集塵ケース２１と、この開口を覆う蓋部２２により構成された容器状の部材であり、内部に取り込んだ空気の旋回流を発生させ、空気と塵埃を分離する為のサイクロン発生部２３が設けられている。
【００１８】
集塵ケース２１は、後部に開口した箱形状であり、前部２１ａと上部２１ｂと左右の側部２１ｃと底部２１ｄを合成樹脂により一体成型することにより構成されている。
前面２１ａには、掃除機本体１０の前開口部１６と連通し、吸引された塵埃の混ざった空気を集塵部２０内部へ取り込む通気路２１ｅが開口している。
【００１９】
次に、集塵ケース２１の内部において、上部２１ｂの前側内壁を集塵ケース２１の内部に向かって突出させることにより、前部２１ａの内壁と上部２１ｂの内壁と突出させた部位により囲まれる凹部に、上係合凹部２１ｇが形成されている。
また、底部２１ｄの左右方向の略中央部分（左右の側壁２１ｃの略中心の位置）の一部を凹ませることにより、下係合凹部２１ｉが形成されている。
【００２０】
ここで、底部２１ｄは、下係合凹部２１ｉが形成された第１の底２１ｄｘと、この第１の底２１ｄｘの後方下方向に位置する第２の底２１ｄｙから構成されている。そして、第２の底２１ｄｙから、第１の底２１ｄｘが位置する高さまでの位置には、空間２１ｋが形成される。
【００２１】
次に、蓋部２２は、枠体の内面側（上流側）に漏斗状のフィルターが設けられ、外面側（下流側）に平板状のフィルターが圧入されて構成されている。
この蓋部２２は、下端部２２ａが集塵ケース２１の底部２１ｄの下部に軸支され、上端部２２ｂは集塵ケースと係合する係合部を形成することにより、集塵ケース２１の後部開口２１ｆを開閉可能に、集塵ケース２１に装着されている。
このように、集塵ケース２１の後部開口２１ｆを蓋部２２で開閉自在に覆うことで、集塵部２０の内部に貯めた塵埃を排出可能に構成されている。
【００２２】
次に、図６〜図１２を参照して、サイクロン部２３について説明する。
集塵部２０の内部には、通気路２１ｅより吸引した塵埃の混ざった吸引風を旋回させるサイクロン部２３が設けられる。
サイクロン部２３は、板状の前面板２３ｈと、この前面板２３ｈに開口する第１の開口部２３と、この第１の開口部２３ａより後方の位置し、第１の開口部２３ａの開口面積より開口部が小さい第２の開口部２３ｂが形成されている。
【００２３】
そして、第１の開口部２３ａの周縁と第２の開口部２３ｂの周縁は、下部を平面部２３ｃで、その他の部位を曲面部２３ｋより繋がっている。つまり、サイクロン部２３は、曲面部２３ｋと平面部２３ｃにより構成された筒部の両側に、第１の開口部２３ａと第２の開口部２３ｂが開口した形状をしている。
ここで、曲面部２３ｋの形状は、流下する吸引風が接触すると、吸引風の流下方向を大まかに所定の方向へと向きを変える曲面形状に構成されている。
【００２４】
本実施の形態の場合、曲面２３ｋに接触した吸引風は、第１の開口部２３ａの中心に右回転方向に流れる向きを変えるように曲面２３の形状が構成されている。
また、曲面部２３ｋの左下側の平面部２３ｃと接する部位には、側方開口部２３ｄが開口している。更に、前面板２３ａの右辺には、後方に向かって右側壁２３ｅが設けられている。
尚、曲面部２３ｋは、滑らかに連続した曲面により構成しても良く、また、平面を複数組み合わせることで、全体として曲面を構成しても良い。
【００２５】
次に、平面部２３ｃの左右方向略中心で、第１の開口部２３ａと第２の開口部２３ｂに挟まれた位置の一部を下方向に向かって突出させることにより、係合凸部２３ｉが形成されている。
また、平面部２３ｃの係合凸部２３ｉが形成された左右両側には、それぞれ後方から所定位置まで切り欠くことで、切り欠き部２３ｎが形成されている。
更に、このそれぞれの切り欠き部２３ｎに挟まれた平面部２３ｃは、第２の開口部２３ｂの開口平面より後方に突出した舌部２３ｊが形成されている。サイクロン部２３が集塵部２０に取り付けられた状態では、舌部２３ｊは、空間部２１ｋと上下に重なる。
【００２６】
以上のように各部を構成したサイクロン部２３は、図１１〜図１３を参照すると、次のように、集塵部２０の内部に対して着脱される。
まず、サイクロン部２３の平面部２３ｈの上先端部２３ｍを集塵部２０に形成された上凹部２１ｇに挿入し、上凹部２１ｇが先端部２３ｍを保持する。
【００２７】
そして、上凹部２１ｇが先端部２３ｍを保持した状態で、集塵部２０の底部２１ｄに形成されている下凹部２１ｉに、サイクロン部２３の平面部２３ｃの下面に形成された係合凸部２３ｉが後方より挿入される。
この時、係合凸部２３ｉの前側に形成された斜面部２３ｉａが、底部２１ｄから押圧されて、切り欠き部２３ｎに挟まれた平面部２３ｃが上方に反る弾性変形することで、係合凸部２３ｉが底部２１ｄを乗り越え、下凹部２１ｉに入り込み係合する。
【００２８】
次に、集塵部２０からサイクロン部２３を取り外す場合、舌部２３ｊを上方に上げて、切り欠き部２３ｎに挟まれた平面部２３ｃを上方に反らせることにより、下凹部２１ｉの内部から係合凸部２３ｉを退避させることができる。
つまり、舌部２３ｊは、集塵部２０とサイクロン部２３の係合を解除する係合解除手段としての役割を有する。
この時、舌部２３ｊの下側には、空間部２１ｋが形成されていることから、使用者が舌部２３ｊを下方向から上方向に持ち上げやすく構成されている。
【００２９】
これにより、下凹部２１ｉと係合凸部２３ｉの係合状態を容易に解除するができ、集塵部２０からサイクロン部２３を外すことが可能となる。
特に、平面部２３ｃに一対の切り欠き部２３ｎを形成しているので、平面部２３ｃを上方向に弾性変形させる際に、切り欠き部２３ｎに挟まれた部分だけを弾性変形させることができるので、小さな力で両部材の係合の解除を行うことができる。
【００３０】
尚、上記の様に、サイクロン部２３が集塵部２０に取り付けられている状態では、集塵部２０に形成された通気路２１ｅの開口は、サイクロン部２３の第１の開口部２３ａと、第２の開口部２３ｂと、曲面２３ｋと、舌部２３ｊと、切り欠き部２３ｇとは、それぞれ前後に重なる位置となる。
また、サイクロン部２３の曲面２３ｋと平面部２３ｃに囲まれた空間は、後述する吸引風が曲面２３ｋに衝突することによりもたらされる旋回流が旋回するサイクロン発生室Ｓとなる。
【００３１】
次に、図６〜図８を参照して、集塵室２０の内部に発生する旋回流と、各部の関係を説明する。
まず集塵部２０の内部へは、掃除機本体１０の前開口部１６と連通する通気路２１ｅから、吸引された塵埃の混ざった空気（以下、吸引風）を取り込む。
この吸引風は、大別すると２つの流路を流下して、後部開口２１ｆを通過する。
【００３２】
まず第１の風路Ａは、サイクロン部２３の第１の開口部２３ａを通過した後、曲面２３ｋに衝突する風路である。
曲面２３ｋに衝突した吸引風は、曲面２３ｋの形状に沿って、第１の開口部２３ａを右回転方向に流れる向きに変える。そして、吸込風は、曲面２３ｋに沿って右回転の方向に流下することにより、右回転の旋回流がサイクロン発生室Ｓ内部に発生する。
【００３３】
この旋回流となった吸引風は、平面部２３ｃに形成された切り欠き部２１ｇ上を図７中右から左に流下し、側方開口部２３ｄからサイクロン発生室Ｓの外部に流下する。
つまり、曲面２３ｋに沿って流下する旋回流は、続いて、平面部２３ｃの面を沿って流下することから、曲面２３ｋと平面面部２３ｃは、旋回流の流路を形成する。
尚、側方開口部２３ｄからサイクロン発生室Ｓの外部に流出しない吸引風は、サイクロン発生室Ｓ内部を旋回し続け、更に強力な旋回流を発生する。
【００３４】
このように、サイクロン発生室Ｓの内部から外部にかけて吸引風が旋回しながら集塵室２０内部を流れる際に発生する遠心力により、塵埃と空気とに分離される。分離された塵埃は、集塵室２０の側壁とサイクロン部２３に設けられた右側壁２３ｅに挟まれた空間から、旋回する吸引風の流路に徐々に蓄積される。
そして、分離された空気は、集塵ケース２１の後部開口２１ｆに設けられたフィルターを通過して、電動送風機室へと流下する。
【００３５】
次に、吸引風の第２の風路Ｂは、第１の開口部２３ａを通過した後、曲面２３ｋには衝突せず第２の開口部２３ｂを通過して、集塵ケース２１の後部開口２１ｆに設けられたフィルターを通過して、電動送風機室へと流下する風路である。
この時、風路Ｂを流下する吸引風の一部は、平面部２３ｃに形成された切り欠き部２１ｇ上を前方向から後ろ方向にかけて流下する。
【００３６】
以上のように風路と各部を構成することにより、風路Ａ及び風路Ｂのいずれも、平面部２３ｃに形成されている切り欠き部２３ｇや舌部２３ｊの近傍を流下するので、これらの部位に塵埃が蓄積しにくい構造とすることができる。
従って、本実施の形態によれば、集塵室２０からサイクロン部２３を着脱しやすい構成であると共に、サイクロン部２３と集塵室２０との係合を解除する係合解除手段となる舌部２１ｊの周囲に、塵埃を貯めにくい構成とすることができる。
つまり、サイクロン部２３を着脱する際に、切り欠き部２３ｇや舌部２３ｊに塵埃が蓄積しにくい構成であるから、作業者が塵埃に接触する機会を少なくすることができる。
【００３７】
次に、図面を参照して、サイクロン部２３を集塵部２０に取り付ける際の位置決め部（凸部７０、切り欠き部８０）を設けた形態のサイクロン部２３及び集塵部２０について説明する。
図１４及び図１７を参照すると、集塵ケース２１の上面内側に形成された突出部２１ｔと、ケース２１の前面壁２１ｕに囲まれて形成される上凹部２１ｇの内側から、下方向に所定の位置まで前面壁２１ｕを集塵室内方に突出させることで、凸部７０が形成されている。
この凸部７０は、下方向に頂部７０ａが向く三角形状である。つまり、下方向に行くにつれて、先端がすぼんだ形状である。また、凸部７０の前面壁２１ｕからの高さは、サイクロン部２３の前面板２３ｈを構成する板の厚さと略一致する高さか、これより高く形成されることが望ましい。
【００３８】
次に、図１５及び図１６を参照すると、サイクロン部２３の前面板２３ｈの先端部２３ｍから、下方向に所定の位置まで切り欠かれた切り欠き部８０が形成されている。尚、この切り欠き部８０は、凸部７０の外形状と略一致する形状であり、サイクロン部２３を正面視した場合、Ｖ字型（三角形状）である。
また、切り欠き部８０の下側には、切り欠き部８０の位置を使用者に対して指し示す表示部８０ａが形成されている。この表示部８０ａは、サイクロン部２３の前面板２３ｈの一部を突出させて形成されている。
【００３９】
以上のように各部を構成したサイクロン部２３は、図１４及び図１８を参照すると、次のように、集塵部２０の内部に対して取付けられる。
まず、集塵ケース２１の後部開口を覆う蓋部２２を開放した状態で、集塵ケース２１に形成された凸部７０に、下方向からサイクロン部２３に形成された切り欠き部８０を係合させる。この時使用者は、表示部６０ａを確認することで、切り欠き部８０を凸部７０に正しく取付けることが可能である。
そして、サイクロン部２３の平面部２３ｈの上先端部２３ｍを集塵部２０に形成された上凹部２１ｇに挿入し、上凹部２１ｇが先端部２３ｍを保持する。
【００４０】
次に、上凹部２１ｇが先端部２３ｍを保持した状態で、集塵部２０の底部２１ｄに形成されている下凹部２１ｉに、サイクロン部２３の平面部２３ｃの下面に形成された係合凸部２３ｉが後方より挿入される。
そして、係合凸部２３ｉの前側に形成された斜面部２３ｉａが、底部２１ｄから押圧されて、切り欠き部２３ｎに挟まれた平面部２３ｃが上方に反る弾性変形することで、係合凸部２３ｉが底部２１ｄを乗り越え、下凹部２１ｉに入り込み係合し、集塵部２０に対してサイクロン部２３が取付けられる（図１１〜図１２参照）。
この時、集塵ケース２１の前面壁２１ｕに、サイクロン部２３の前面板２３ｈが、面で接触する。
【００４１】
このように、集塵部２０にサイクロン部２３が取付けられた状態では、凸部７０の前面壁２１ｕからの高さは、サイクロン部２３の前面板２３ｈの厚さと略一致する高さであることから、切り欠き部８０が形成された前面板２３ｈと凸部７０とが、同一平面を構成する。つまり、前面板２３ｈの凸部７０と切り欠き部８０の係合する位置において、段差が生じない構成である。
【００４２】
従って、側方開口部２３ｄからサイクロン発生室Ｓの外部に流下して発生する旋回流Ｃの流れを妨げにくく、この係合位置において塵埃が蓄積されにくい構成とすることができる。
また、前面板２３ｈの構成する板の厚さより、凸部７０を高く形成した場合、集塵部２０の内部に発生する旋回流の流れを若干妨げることはあるが、この係合位置において塵埃が蓄積されにくい構成とすることができる。
【００４３】
また、凸部７０の形状が、下方向に頂部７０ａが向く三角形状であり、切り欠き部８０の形状が、凸部７０の外形状と略一致する形状であることから、凸部７０に切り欠き部８０を合わせてサイクロン部２３取付け位置に嵌め込む時、切り欠き部８０の広く開放した部分から、凸部７０が入り込み、凸部７０の頂部７０ａに切り欠き部８０が倣うことで、サイクロン部２３を正しい取付け位置に位置決めすることができる。
【符号の説明】
【００４４】
Ｃ  電気掃除機、１０  本体  、１１  下ケース、１２  上ケース、１３  蓋体、
１４集塵室、１５  電動送風機室、１６  前開口部、２０  集塵部  ３０  ホース  
４０  延長パイプ、５０  床用吸込具、Ｓ  サイクロン室、７０  凸部  
８０  切り欠き部
【図１】
2011041651.tif 000003
【図２】
2011041651.tif 000004
【図３】
2011041651.tif 000005
【図４】
2011041651.tif 000006
【図５】
2011041651.tif 000007
【図６】
2011041651.tif 000008
【図７】
2011041651.tif 000009
【図８】
2011041651.tif 000010
【図９】
2011041651.tif 000011
【図１０】
2011041651.tif 000012
【図１１】
2011041651.tif 000013
【図１２】
2011041651.tif 000014
【図１３】
2011041651.tif 000015
【図１４】
2011041651.tif 000016
【図１５】
2011041651.tif 000017
【図１６】
2011041651.tif 000018
【図１７】
2011041651.tif 000019
【図１８】
2011041651.tif 000020